(57)【要約】【課題】物品の袋詰めの収納袋、及びチャック付き収納袋の開口部分の切りとりが簡単に出来、チャック付き収納袋においては切りとられた開口部分より滞る事なく速やかにチャックを開くことの可能な開口部分の切り口を有する袋。【解決手段】収納袋Ａは、開口部分の表裏に切り込まれた溝によって開口が簡単になされる。チャック付き収納袋Ｂは、器具により切り取られる開口部分の一部に他の面と異なる欠き込みをもたせ、そのかき込みよりチャックを開口する。チャック付き収納袋Ｃは、開口部分の表裏に切り込まれた溝より密閉部分をちぎり取ることによって器具を用いることなく開口が出来、尚開口部分の表裏不揃いに切断された切り口を利用しチャックを速やかに開口する。【選択図】　　図９
0003097492.tif 000002
【実用新案登録請求の範囲】
【請求項１】
物品を密閉し収納する袋Ａを、開口するため切り取る切断部分２ａの表面、裏面の両面に切断用の切り込み溝６ａ、７ａをもたせ、切断器具を用いることなく密閉部分がちぎり取れる袋。
【請求項２】
チャック付き袋Ｂを開口するために切断器具により切りとられる切断部分２ｂの一部に、欠き込んだ形態の切り込み溝６ｂをもたせ、切断部分を切り取った後、欠き込み部分８を切り込み溝に従ってちぎり取ることにより、相対する切断された切り口の６ｂ′、７ｂ′の一部に他の切断面と異なった欠き込み部分をもたせたチャック付袋。
【請求項３】
物品を密閉し収納するチャック付き袋Ｃを開口するために切り取る切断部分の表面、裏面に、ちぎり取ることの出来る切り込み溝６ｃ、７ｃをもたせ、相対するそれぞれの溝によって切り取られた切り口６ｃ′、７ｃ′が同一線上に重複し重ね合うことのない異なった形態を有するチャック付きの袋。
【考案の詳細な説明】
【０００１】
【考案の属する技術分野】
本考案は密閉した物品収納袋の開口と、開閉チャック付き収納袋の開閉口に関するものである。
【０００２】
【従来の技術】
従来の密閉した物品収納袋Ａは、図２、に示す袋の密閉部分１以外の切断部分２ａを鋏み又はナイフなどの切断器具を用いて切り取り開口を行うか、又はちぎり取るための起点４より切断部分をちぎり取り、内部に収納する物品を取り出す方法がとられている。
【０００３】
図５に示す従来のチャック付き収納袋Ｂにおいては袋の切断部分２ｂを、切断器具を使用して切りとり、チャックの開け閉めにより内蔵する物品の出し入れを行う。
【０００４】
【考案が解決しようとする課題】
従来の物品収納袋を開口するには、切り取るための起点より密閉部分をちぎり取り、袋の開口をおこなうか、又は切断器具を用いて開口部分を切りとり、開口するかのどちらかの方法がとられているが、切り取る器具がない場合に於いてはちぎり取るしかなく、その切り口はちぎる時の力の入れ方、方向により変化し定まらず、きれいに切り取ることが難しい。
【０００５】
開閉チャック付き収納袋においては、袋の密閉部分とチャックとの間に設けられている切断部分の切り取りを行うためには、鋏み又はナイフ等の切断する器具が必要であり、器具がない場合は開口が困難である。
【０００６】
尚チャック付き袋を開口するとき、通常は袋の密閉部分とチャックとの間に設けられた切断部分の表面、裏面を切断用具により重ねて切り取るのが通常である、その場合切り取られた表面、裏面の相対する切断面の切り口が同一線上に重複し、切断面が密着するか僅差の隙間を有するのみであり、その隙間より袋の表面、裏面を分離させ滞ることなくチャックを開くことが難しく、尚視力の劣る者は、開口切断部分の切り口の表面、裏面を識別して開くことが困難である。
【０００７】
本考案は従来の技術に有するこのような問題点に鑑みなされたものであり、その目的とするところは、袋の開口部分を切断器具を用いることなく簡単に且つ、きれいに切り取ることにある。
【０００８】
チャック付き袋に於いては、開口部分を開く時、切り取り切断面に起因する開口上の不備を本案により補填し、支障なく開くことが可能な袋を提供しようとするものである。
【０００９】
【課題を解決するための手段】
【００１０】
本考案は上記のような実情を解消するために考案されたものであり、従来の収納袋を開口するため切り取る切断部分の表、裏の両面に切り込み溝をもたせ、切り口の始点を示す部分よりその溝に導かれ引きちぎる事の出来る袋である。
【００１１】
従来よりの、チャック付き袋に於いては開口部分の切り取りを切断器具によって行う方法が取られているが、切り取られた切断面の一部に、本考案による切り込み溝をもった欠き込み部分を設け、そのかき込み部分をちぎりとることによって、切り取った表面、裏面の部分の切り口が一体とならない切断面をもたす。
【００１２】
尚本考案によるチャック付き物品収納袋は、開口部分を切断器具を用いることなく、袋の開口を可能にする切り込み溝を設け、その溝に導かれ、ちぎり取られる部分の切り口が、それぞれ同一線上に重なり、重複することのない異なった形態をもたせた袋を提供する。
【実施例】
【００１３】
本考案を図面に示された実施例により説明する。
図１は本考案の基本となる袋Ａ、Ｂ、Ｃの生地をちぎり取るために切り込まれた切り込み溝に共通する表面の切断面６、裏面の切断面７を示す一部切り欠き拡大断面図である。
【００１４】
図３に示す請求項１に求める本考案は、収納袋Ａにおいて、袋の密閉部分１を切り取り開口する為の切断部分の表面、裏面の両面に図１に示す断面６、７を持つ切り込み溝６ａ、７ａをもたせ、切り取りの始点４よりその溝に導かれ、ちぎり取る事の出来る袋である。
【００１５】
図６に示す請求項２に求める本考案は、チャック付き袋Ｂに於いて、開口する為の切断部分２ｂの、表面、裏面を切断器具によって切り取った後、切断面の一部に図１に示す断面６をもつ、欠き込んだ形態に切り込まれた溝６ｂによって、欠き込み部分８をちぎり取り、相対する表面、裏面の切り口　６ｂ′、７ｂ′にそれぞれ異なった形態をもたらす。
【００１６】
図８に示す請求項３に求める本考案は、チャック付き袋Ｃに於いて、開口する為の切断部分２ｃの表面、裏面に対し、切り取られる表裏切断面が重複し重ね合うことのない形態のちぎりとる溝６ｃ、７ｃを設け、切り込み口の始点４よりちぎりとり、切り取られた開口部分の相対する表面、裏面の切り口６ｃ′、７ｃ′にそれぞれ異なった形態をもたらす。
【００１７】
【考案の効果】
要求項１に関しては袋の表裏両面に切り込まれた切断面の溝に導かれ、切り口が一定した形に切り取る事が出来ると共に切断する用具を必要としない。
【００１８】
請求項２に関する本考案は従来の切断器具を用いて袋の開口をおこなうときに生じる、切断面の切り口が同一線上に重複し、その切り口が密着するか僅差の隙間しかない状態での開口上の不備に対し、切断面の一部に相対する他の面と異なった欠き込みをもたせることにより、切り口の状態に関わりなく欠き込み部分の切り口の表裏を速やかに遊離させ開口をおこなう事が可能である。
【００１９】
請求項３において、袋の開口に関し切り取られる開口部分の表面、裏面の切断面に設けられた切り込み溝により、器具を用いる事なくちぎり取ることが可能であり、尚その溝に導かれ切り取られる切断面の表面、裏面がそれぞれ重複することなく異なった形態をもたすことにより、その不揃いの切断面から簡単に表裏を識別し開口部分を遊離させて、チャックの開口を行なうことを特徴とした収納袋である。
【図面の簡単な説明】
【図１】本考案の請求項１、２、３に共通する切り込み溝の断面の一部切欠拡大図である。
【図２】従来の物品収納袋の正面図である。
【図３】本考案請求項１を施した袋Ａの正面図である。
【図４】図３の裏面図である。
【図５】従来のチャック付き物品収納袋の正面図である。
【図６】本考案請求項２を施した袋Ｂの正面図である。
【図７】袋Ｂの裏面図である。
【図８】袋Ｂの斜視図である。
【図９】本考案請求項３を施した袋Ｃの正面図である。
【図１０】袋Ｃの裏面図である。
【図１１】袋Ｃのき斜視図である。
【符号の説明】
１　　密閉部分
２ａ、２ｂ　切断部分
３　　物品収納部分
４　　始点
５　　チャック
６　　表面の切り込み溝の断面
６ａ、６ｂ、６ｃ　　表面の切り込み溝
７　　裏面の切り込み溝の断面
７ａ、７ｃ　　裏面切り込み溝
６ｂ′、６ｃ′　表面の切り口
７ｂ′、７ｃ′　裏面の切り口
８　　ちぎり取る欠き込み部分
９　　物品収納部分
【図１】
0003097492.tif 000003
【図２】
0003097492.tif 000004
【図５】
0003097492.tif 000005
【図６】
0003097492.tif 000006
【図７】
0003097492.tif 000007
【図８】
0003097492.tif 000008
【図９】
0003097492.tif 000009
【図１０】
0003097492.tif 000010
【図１１】
0003097492.tif 000011
【手続補正書】
【提出日】平成14年4月4日(2002.4.4)
【手続補正１】
【補正対象書類名】明細書
【補正対象項目名】００１６
【補正方法】変更
【補正の内容】
【００１６】
図８に示す請求項３に求める本考案は、チャック付き袋Ｃに於いて、開口する為の切断部分２ｃの表面、裏面に対し、切り取られる表裏切断面が重複し重ね合うことのない形態のちぎりとる溝６ｃ、７ｃを設け、切り込み口の始点４よりちぎりとり、切り取られた開口部分の相対する表面、裏面の切り口６ｃ′、７ｃ′
にそれぞれ異なった形態をもたらす。


【手続補正２】
【補正対象書類名】明細書
【補正対象項目名】符号の説明
【補正方法】変更
【補正の内容】
【符号の説明】
１　　密閉部分
２ａ、２ｂ　切断部分
４　　始点
５　　チャック
６　　表面の切り込み溝の断面
６ａ、６ｂ、６ｃ　　表面の切り込み溝
７　　裏面の切り込み溝の断面
７ａ、７ｃ　　裏面切り込み溝
６ｂ′、６ｃ′　表面の切り口
７ｂ′、７ｃ′　裏面の切り口
８　　ちぎり取る欠き込み部分
９　　物品収納部分




【手続補正書】
【提出日】平成15年3月24日(2003.3.24)
【手続補正２】
【補正対象書類名】明細書
【補正対象項目名】００１４
【補正方法】変更
【補正の内容】
【００１４】
図２に示す請求項１に求める本考案は、収納袋Ａにおいて、袋の密閉部分１を切り取り開口する為の切断部分の表面、裏面の両面に図１に示す断面６、７を　持つ切り込み溝をもたせ、切り取りの始点４よりその溝に導かれ、ちぎり取る　事の出来る袋である。


【手続補正３】
【補正対象書類名】明細書
【補正対象項目名】００１５
【補正方法】変更
【補正の内容】
【００１５】
図４に示す請求項２に求める本考案は、チャック付き袋Ｂに於いて、開口する為の切断部分２ｂの、表面、裏面を切断器具によって切り取った後、切断面の一部に図１に示す断面６をもつ、欠き込んだ形態に切り込まれた溝６ｂによって、欠き込み部分８をちぎり取り、相対する表面、裏面の切り口　６ｂ′、７ｂ′にそれぞれ異なった形態をもたらす。


【手続補正４】
【補正対象書類名】明細書
【補正対象項目名】００１６
【補正方法】変更
【補正の内容】
【００１６】
図７に示す請求項３に求める本考案は、チャック付き袋Ｃに於いて、開口する為の切断部分２ｃの表面、裏面に対し、切り取られる表裏切断面が重複し重ね合うことのない形態のちぎりとる溝６ｃ、７ｃを設け、切り込み口の始点４よりちぎりとり、切り取られた開口部分の相対する表面、裏面の切り口６ｃ′、７ｃ′にそれぞれ異なった形態をもたらす。


【手続補正５】
【補正対象書類名】明細書
【補正対象項目名】図面の簡単な説明
【補正方法】変更
【補正の内容】
【図面の簡単な説明】
【図１】本考案の請求項１、２、３に共通する切り込み溝の断面の一部切欠拡大図である。
【図２】従来の物品収納袋の正面図である。
【図３】従来のチャック付き物品収納袋の正面図である。
【図４】本考案請求項２を施した袋Ｂの正面図である。
【図５】袋Ｂの裏面図である。
【図６】袋Ｂの斜視図である。
【図７】本考案請求項３を施した袋Ｃの正面図である。
【図８】袋Ｃの裏面図である。
【図９】袋Ｃのき斜視図である。
【符号の説明】
１　　密閉部分
２ａ、２ｂ　切断部分
４　　始点
５　　チャック
６　　表面の切り込み溝の断面
６ｂ、６ｃ　表面の切り込み溝
７　　裏面の切り込み溝の断面
７ｃ　　裏面切り込み溝
６ｂ′、６ｃ′　表面の切り口
７ｂ′、７ｃ′　裏面の切り口
８　　ちぎり取る欠き込み部分
９　　物品収納部分


【手続補正６】
【補正対象書類名】図面
【補正対象項目名】全図
【補正方法】変更
【補正の内容】
【図１】
0003097492.tif 000012
【図２】
0003097492.tif 000013
【図３】
0003097492.tif 000014
【図４】
0003097492.tif 000015
【図５】
0003097492.tif 000016
【図６】
0003097492.tif 000017
【図７】
0003097492.tif 000018
【図８】
0003097492.tif 000019
【図９】
0003097492.tif 000020